(57)【要約】【課題】小型化を実現することが可能な表示装置を提供する。【解決手段】表示装置は、開口部を有する保持部材と、保持部材の開口部に装着されると共に、互いに対向配置された表示パネルおよび保護板と、保護板の前記表示パネル側の面の周縁領域に設けられた側壁部とを備え、側壁部は保持部材の開口部に固着されている。保護板の外周部（周辺領域）の寸法を大きく確保することなく表示部および保護板をリアキャビに取り付け可能となる。【選択図】図５
2013257480.tif 000002
【特許請求の範囲】
【請求項１】
開口部を有する保持部材と、
前記保持部材の前記開口部に装着されると共に、互いに対向配置された表示パネルおよび保護板と、
前記保護板の前記表示パネル側の面の周縁領域に設けられた側壁部とを備え、
前記側壁部は前記保持部材の開口部に固着されている
表示装置。
【請求項２】
前記保護板は、前記表示パネルの画像表示面と対向する領域に透明部を含む
請求項１に記載の表示装置。
【請求項３】
前記保持部材は、前記開口部を囲むと共に前記保護板を露出させる枠部と、前記枠部の内周に設けられた段部とを有し、
前記側壁部は、前記段部に突き当てられている
請求項１に記載の表示装置。
【請求項４】
前記保持部材は、前記開口部を囲むと共に前記保護板を露出させる枠部と、前記枠部の内周に設けられた段部とを有し、
前記側壁部は、前記枠部に固着されている
請求項１に記載の表示装置。
【請求項５】
前記表示パネルに画像信号を出力する信号出力部を含む回路基盤を備え、
前記回路基盤と、前記表示パネルおよび前記保護板とは、前記保持部材の開口部に互いに異なる側から装着されている
請求項１に記載の表示装置。
【請求項６】
前記側壁部は、前記保護板の周縁に沿って形成されている
請求項１に記載の表示装置。
【請求項７】
前記側壁部は、前記保護板と別部材により構成され、前記保護板に接着されている
請求項１に記載の表示装置。
【請求項８】
前記側壁部は、前記保護板に直交する面の断面形状がＬ字状となっている
請求項１に記載の表示装置。
【請求項９】
前記側壁部は、前記保護板に直交する面の断面形状がＩ字状となっている
請求項１に記載の表示装置。
【請求項１０】
前記保持部材の開口部の内壁には、前記側壁部の端部と係合する溝が設けられている
請求項１に記載の表示装置。
【請求項１１】
前記保持部材の前記開口部の内壁には、１または複数の孔が設けられ、
前記側壁部は、前記１または複数の孔のそれぞれに勘合する爪を有する
請求項１０に記載の表示装置。
【請求項１２】
前記溝の一部または全部の領域の断面形状がＶ字状となっており、
前記側壁部の端部は、前記溝に勘合する形状を有している
請求項１１に記載の表示装置。
【請求項１３】
前記溝のうちの選択的な第１の領域の断面形状のみがＶ字状であり、
前記溝の断面形状は、前記第１の領域から、前記第１の領域以外の第２の領域にかけて緩やかに変化している
請求項１２に記載の表示装置。
【請求項１４】
前記側壁部の一部に、前記保護板の弾性を利用して前記側壁部と前記保持部材とを係合させるスナップフィット部を有する
請求項１に記載の表示装置。
【請求項１５】
前記側壁部は、前記保護板と一体成型されている
請求項１に記載の表示装置。
【発明の詳細な説明】
【技術分野】
【０００１】
本開示は、液晶または有機ＥＬ（Electro luminescence）等の表示素子を備えた表示装置に関する。
【背景技術】
【０００２】
従来、デジタルスチルカメラなどの電子機器では、キャビネット（筐体）の内部に、回路基盤、強度保持のためのフレームおよび表示モジュール（表示デバイスにタッチパネルを搭載したもの等）が組み込まれている。表示モジュールは、キャビネットの窓（開口部）に嵌め込まれており、開口部を通して表示画面を見ることができるようになっている。このような電子機器への表示モジュールの取り付けを、例えばキャビネットの外側から行う手法が提案されている（例えば、特許文献１）。
【先行技術文献】
【特許文献】
【０００３】
【特許文献１】特開平７−２８７２１９号公報
【発明の概要】
【発明が解決しようとする課題】
【０００４】
上記のような取り付け手法では、表示モジュールの前面に設けられた保護板を、キャビネットの開口部に対向するように接着剤を用いて貼り付ける。このため、接着面積を確保するために、保護板の外周部の寸法を開口部よりも大きくする必要がある。また、機器全体に防水性を持たせる場合には、特に開口部付近において止水性が要求されることから、上記接着面の幅がより大きく確保されることが望ましい。従って、特に表示モジュールをキャビネットの外側から取り付ける場合、キャビネット内部に、上記のような保護板の外周部に対応した不要なスペースが生じる。この結果、表示エリアに比してセットが大型化してしまうという問題がある。
【０００５】
本開示はかかる問題点に鑑みてなされたもので、その目的は、小型化を実現することが可能な表示装置を提供することにある。
【課題を解決するための手段】
【０００６】
本開示の表示装置は、開口部を有する保持部材と、保持部材の開口部に装着されると共に、互いに対向配置された表示パネルおよび保護板と、保護板の表示パネル側の面の周縁領域に設けられた側壁部とを備え、側壁部は保持部材の開口部に固着されている。
【０００７】
本開示の表示装置では、保持部材の開口部に、表示パネルおよび保護板が互いに対向して配置され、保護板の表示パネル側の面の周縁領域に側壁部が設けられている。この側壁部が保持部材の開口部に固着されていることにより、保護板の外周部の寸法を大きく確保することなく表示パネルおよび保護板を保持部材に取り付け可能となる。保護板の大型化に伴ってキャビネット内部にデッドスペースが生じることが抑制される。
【発明の効果】
【０００８】
本開示の表示装置によれば、表示パネルに対向配置された保護板の表示パネル側の面の周縁領域に側壁部を設け、この側壁部を保持部材の開口部に固着したので、保護板の外周部の寸法を大きく確保することなく表示パネルおよび保護板を保持部材に取り付け可能となる。保持部材内のデッドスペースを削減でき、小型化を実現可能となる。
【図面の簡単な説明】
【０００９】
【図１】本開示の一実施の形態に係る電子機器の外観を表す斜視図である。
【図２】図１に示した電子機器を分解して表す斜視図である。
【図３】図２に示した表示モジュールの外観を表す斜視図である。
【図４】図２に示した表示モジュールを分解して表す斜視図である。
【図５】図２に示した表示モジュールの外周部付近の断面図である。
【図６】フレームの外観を表す斜視図である。
【図７】図５に示したフレームの要部拡大図である。
【図８】係止部の一例を表す断面図である。
【図９】ＦＰＣの積層構成例を表す断面図である。
【図１０】図１に示した電子機器の組み立て方法を説明するための要部斜視図である。
【図１１】図１０に続く組み立て方法を説明するための要部断面図である。
【図１２】図１に示した電子機器の効果を説明するための断面図である。
【図１３】フレームの他の例を表す断面図である。
【発明を実施するための形態】
【００１０】
以下、本開示の実施の形態について図面を参照して詳細に説明する。なお、説明は以下の順序で行う。
１．実施の形態（保護板の周縁領域にフレームを取り付け、フレームをリアキャビの開口部に接着した例）
２．変形例（フレームの他の例）
３．適用例
【００１１】
［構成］
図１（Ａ）は、本開示の一実施の形態に係る表示装置（表示モジュール３０）を用いた電子機器（電子機器１）を前面側（フロント側、撮像レンズ側）から見た外観を表したものである。図１（Ｂ）は、電子機器１を背面側（リア側、表示画面側）から見た外観を表したものである。この電子機器１は、例えば表示機能および物体検出機能等を有する、デジタルスチルカメラまたはデジタルビデオカメラであり、表示モジュール２は、このような電子機器のディスプレイとして電子機器１に組み付けられている。具体的には、電子機器１は、筐体内（フロントキャビ２０とリアキャビ１０との間）に、詳細にはリアキャビ１０の開口部１０Ａに嵌め込まれた（装着された）表示モジュール３０を有している。電子機器１の前面側（フロントキャビ２０の側）には、撮像レンズを含む撮像光学系１１１が設けられ、例えばフロントキャビ２０の上部には、シャッターボタン等を含む操作部１１０が設けられている。
【００１２】
図２は、電子機器１の分解斜視図である。電子機器１では、このように、リアキャビ１０とフロントキャビ２０との間に、表示モジュール３０と共に、例えば支持部材１１２および回路基盤１１３がスタックされている。リアキャビ１０の背面側から表示モジュール３０が電子機器１の内部に組み付けられ、リアキャビ１０と支持部材１１２との間に配設される。尚、図面では、表示モジュール３０、支持部材１１２および回路基盤１１３の積層方向をｚ方向、表示モジュール３０の左右方向をｘ方向、表示モジュール３０の上下方向をｙ方向とする。また、図中の矢印Ａ１は、表示モジュール３０の組み付け方向を、矢印Ａ２は、支持部材１１２および回路基盤１１３の組み付け方向をそれぞれ表している。このように、表示モジュール３０と、支持部材１１２および回路基盤１１３とは、リアキャビ１０に対して、互いに異なる側から（リアキャビ１０の開口部１０Ａを間にして）組み付けられている。
【００１３】
（表示モジュール３０）
図３は、表示モジュール３０の斜視図である。図４は、表示モジュール３０の分解斜視図である。図５は、表示モジュール３０の表示領域（表示領域３０Ａ）とその周辺領域（周辺領域３０Ｂ）との境界付近の断面構成を表したものである。表示モジュール３０は、表示部３３の一面（前面、表示面）側に、接着層３５を介してタッチパネル３４および保護板（前面板）３１が貼り合わせられたものである。保護板３１の周縁部にはフレーム３２が配設されている。尚、フレーム３２が本開示における「側壁部」の一具体例に相当する。また、リアキャビ１０が本開示における「保持部材」の一具体例に相当する。
【００１４】
表示部３３は、例えば、ガラス等よりなる二枚の基板の間に液晶層を有する液晶表示パネルを含んで構成されている。一方の基板には、各画素を駆動するＴＦＴ（Thin Film Transistor；薄膜トランジスタ）および画素電極が配設されると共に、各画素に映像信号等を供給するための駆動回路等が設けられている。他方の基板には、例えば透明電極が設けられると共に、３原色（Ｒ，Ｇ，Ｂ）の各カラーフィルタが、画素毎に形成されている。液晶層の周辺はシール材により封止されている。表示部３３の表面には、表示部３３よりもわずかに小さい寸法の矩形の偏光板３３１が設けられており、表示部３３の裏面にも同様の偏光板（図示せず）が設けられている。表示部３３の近傍には、図示しないが、ＬＥＤ（Light Emitting Diode）等よりなる光源、導光板、光学機能シートおよび放熱部材等を含むバックライトユニットが配置されている。尚、表示部３３は、上記のような液晶表示パネルに限らず、例えば有機ＥＬ（Electroluminescence）パネルにより構成されていてもよい。この表示部３３に画像信号を出力する信号出力部は、例えば回路基盤１１３に設けられている。
【００１５】
タッチパネル３４は、例えば静電容量式タッチセンサが搭載された入力装置であり、例えば接着層３５により表示部３３の表示側に貼り合わせられている。このタッチパネル３４の有効検知領域は、表示部３３の有効表示領域とほぼ一致している。また、ここでは、タッチパネル３４の検知面（入力面）の全面が保護板３１に接着層３６ｂを介して接着されている。接着層３５，３６ｂおよび後述の接着層３６ａは、例えば紫外線硬化型樹脂あるいは熱硬化型樹脂等により構成されている。
【００１６】
保護板３１は、いわゆる前面板であり、表示部３３やタッチパネル３４の強度向上、表面保護および意匠性の向上などのために設けられるものである。この保護板３１は、例えばガラスや樹脂などの透明板により構成されている。保護板３１を構成する樹脂としては、アクリル、ポリカーボネートまたはポリエチレンテレフタレート（ＰＥＴ）等が挙げられる。この保護板３１は、画像表示面と対向する領域に透明部を含み、この透明部の周辺領域には不透明部（図示せず）が設けられている。これにより、表示部３３の周辺領域およびタッチパネル３４の周辺領域における配線や回路等が遮蔽され、表示部３３の体裁が整えられる。不透明部は、例えば金属，顔料，染料などの不透明材料よりなる。
【００１７】
フレーム３２は、保護板３１の表示モジュール３０側（電子機器１の内側）の面の周縁領域に取り付けられており、その端部がリアキャビ１０の開口部１０Ａに固着されている。本実施の形態では、このフレーム３２が、保護板３１と別部材として設けられ、互いに接着層（後述の接着層３６ａ）を介して接着されている。フレーム３２は、保護板３１の周縁に沿って連続して（途切れずに、ループ状に）形成されている。ここでは、表示部３３およびタッチパネル３４のＸＹ平面形状が矩形状であり、フレーム３２は、この矩形状の周縁に沿った枠状の部材であり、周縁を囲むように側壁を形成するものである。但し、このフレーム３２は、保護板３１と一体的に（同一部材として）形成されていてもよい。
【００１８】
このフレーム３２は、図５に示したように、ＸＺ断面形状（保護板３１に直交する面の断面形状）が、例えばＬ字状（くの字状）となっている。換言すると、フレーム３２は、一部が屈曲して成形されており、ＸＹ平面に平行な面Ｓ１と、ＹＺ平面またはＸＺ平面（ここではＹＺ平面）に平行な面Ｓ２とを有している。フレーム３２の面Ｓ１は、保護板３１の周縁領域に接着層３６ａを介して接着されており、面Ｓ２は、リアキャビ１０の開口部１０Ａの縁（枠部１３０）に、接着層３６ｃを介して接着されている。また、詳細には、リアキャビ１０には、開口部１０Ａを囲むと共にリアキャビ１０から保護板３１を露出させるための枠部１３０が設けられ、この枠部１３０の内周に沿って（開口部１０Ａの内壁に）段部１２０が設けられている。フレーム３２は、そのようなリアキャビ１０の段部１２０に突き当てられた状態で、リアキャビ１０に固着されている。接着層３６ｃは、フレーム３２の全辺に沿って連続的に（途切れることなく）形成されることが望ましいが、防水性能が必要とされない場合には、接着層３６ｃは特に設けられていなくともよい。
【００１９】
図６は、フレーム３２の他の構成例を表したものである。フレーム３２は、上述したように、保護板３１の周縁において連続して設けられるが、選択的な部分に、リアキャビ１０と係合可能な所定の機能部を有している。具体的には、例えばフレーム３２における対向する短辺（Ｙ方向に沿った２辺）のうちの一方の短辺に１または２以上（ここでは２つ）の爪３２１ａが設けられている。他方の短辺には、１または２以上（ここでは２つ）のスナップフィット部３２２が設けられている。一方、例えばフレーム３２の対向する長辺（Ｘ方向に沿った２辺）には、１または２以上（ここでは１つ）の爪３２１ｂがそれぞれ設けられている。
【００２０】
爪３２１ａ，３２１ｂは、例えばフレーム３２の縁から外側に突出して設けられた突起であり、リアキャビ１０の開口部１０Ａの縁に設けられた凹部（後述の凹部１２１等）に勘合されるものである。図７（Ａ）に爪３２１ａ付近を拡大したものを、図７（Ｂ）に、スナップフィット部３２２付近を拡大したものを、それぞれ示す。
【００２１】
スナップフィット部３２２は、弾性を利用して保護板３１（詳細にはフレーム３２）とリアキャビ１０との接合を行うための部材であり、例えば矩形状の勘合孔３２２ａを有している。このスナップフィット部３２２の勘合孔３２２ａには、リアキャビ１０の開口部１０Ａの縁に設けられた突起（図示せず）が勘合されて係止される（勘合孔３２２ａに突起が引っ掛かり固定される）ようになっている。これらの爪３２１ａ，３２１ｂおよびスナップフィット部３２２の設置箇所および個数は、特に限定されないが、後述する取り付け手法を用いる場合には、上述のように、フレーム３２の一方の短辺に爪３２１ａ、他方の短辺にスナップフィット部３２２が設けられていることが望ましい。
【００２２】
フレーム３２は、また、その局所的な領域において、リアキャビ１０の溝部分に係合する端部の形状が他の領域と異なっている。図８（Ａ）〜（Ｃ）に、図６におけるＡ−Ａ線，Ｂ−Ｂ線，Ｃ−Ｃ線の各断面構成例を示す。具体的には、例えば、フレーム３２の各辺のうちＸ方向に延在する２つの長辺部分は、互いに形状（上述のＬ字型の形状に対応する断面形状）が異なる複数の領域（ここでは３つの領域Ｄ１，Ｄ２，Ｄ３）を含んでいる。
【００２３】
領域Ｄ１では、フレーム３２の端部が、先端に向かって細くなる形状を有する先尖部３２ａを有している。領域Ｄ１では、リアキャビ１０の開口部１０Ａの縁部分に、その先尖部３２ａに係合するＶ溝１２０Ａが形成されている。このような領域Ｄ１は、例えばフレーム３２の各長辺部分に１または複数設けられている。ここでは、領域Ｄ１は、１つの長辺部分の中心を挟んで２箇所にわたって設けられている。
【００２４】
領域Ｄ２，Ｄ３では、フレーム３２の端部が、上記領域Ｄ１の場合と異なり、ＸＹ平面に略平行な平面３２ｂを有している。領域Ｄ２，Ｄ３では、リアキャビ１０の開口部１０Ａの縁部分に設けられた溝（段部）は、この平面３２ｂに正対する面を有している。これらの領域Ｄ２，Ｄ３のうち領域Ｄ２には、上述した爪３２１ｂが形成されており、リアキャビ１０の開口部１０Ａの内壁には、その爪３２１ｂに係合する凹部１２１が設けられている。このような領域Ｄ２，Ｄ３は、例えばフレーム３２の各長辺部分に１または複数設けられている。ここでは、領域Ｄ２は、１つの長辺部分の中心に１箇所設けられ、領域Ｄ３は、長辺部分の両端にそれぞれ設けられている。
【００２５】
フレーム３２では、上記のように形状の異なる領域Ｄ１，Ｄ２，Ｄ３を有するが、これらの領域Ｄ１，Ｄ２，Ｄ３の境界付近では、形状変化が緩やかに生じていることが望ましい。具体的には、先尖部３２ａを有する領域Ｄ１と平面３２ｂを有する領域Ｄ２との間の領域Ｄａでは、領域Ｄ１から領域Ｄ２に向かって、先細りの形状が徐々に平らになるように成形されている。領域Ｄ１と領域Ｄ３との間の領域Ｄａについても同様である。また、このようなフレーム３２の形状変化に対応して、リアキャビ１０の溝部分の形状変化も緩やかに生じている。
【００２６】
尚、表示モジュール３０では、例えば周辺領域３０Ｂには、フレキシブルプリント配線板（ＦＰＣ３３０）が接続されるが、このＦＰＣ３３０の端部は、例えば図９に示したように、フレーム３２およびリアキャビ１０の開口部１０Ａの内側へ巻き込まれた状態で、電子機器１内部に収容されていてもよい。
【００２７】
［製造方法］
上記のような表示装置１は、例えば、次のようにして製造することが可能である。
【００２８】
まず、図１０（Ａ）に示したように、保護板３１の一面（例えば不透光層の形成されている面）の周縁領域に、上述したフレーム３２を、接着層３６ａ（図１０（Ａ）には図示せず）を介して貼り合わせる。
【００２９】
続いて、図１０（Ｂ）に示したように、フレーム３２が貼り合わせられた保護板３１を、表示部３３およびタッチパネル３４と貼り合わせる。具体的には、保護板３１のフレーム３２に非対向の領域に、タッチパネル３４を、接着層３６ｂ（図１０（Ｂ）には図示せず）を介して貼り合わせる。この後、タッチパネル３４に、表示部３３を、接着層３５および偏光板３３１（いずれも図１０（Ｂ）には図示せず）を介して貼り合わせる。このようにして表示モジュール３０を組み立てる。
【００３０】
次に、表示モジュール３０をリアキャビ１０へ取り付ける。尚、図１１（Ａ）〜（Ｃ）では、簡便化のため、リアキャビ１０のうちの開口部１０Ａの縁部分のみを抜粋して示している。具体的には、まず、図１１（Ａ）に示したように、開口部１０Ａに対して、表示モジュール３０を傾けて、フレーム３２の一方の短辺側（爪３２１ａが形成されている側）を挿入し、フレーム３２の爪３２１ａをリアキャビ１０の凹部（図示せず）に勘合させる。この後、図１１（Ｂ）に示したように、表示モジュール３０のもう一方の側（スナップフィット部３２２が設けられている側）を、開口部１０Ａへ押し込み、フレーム３２のスナップフィット部３２２の勘合孔３２２ａに、リアキャビ１０の突起（図示せず）を勘合させる。これにより、図１１（Ｃ）に示したように、表示モジュール３０が、リアキャビ１０に嵌め込まれて固定され、取り付け完了となる。
【００３１】
但し、この際、より防水性を高めるためには、表示モジュール３０をリアキャビ１０に嵌め込む前に、リアキャビ１０の溝部分、あるいは表示モジュール３０のフレーム３２の端部、あるいはその両方に上記のような接着剤（接着層３６ｃに相当）を塗布し、接着するとよい。また、接着層３６ｃは、フレーム３２の全辺に連続的に（途切れることなく）形成されることが望ましい。
【００３２】
また、上述したように、フレーム３２のＶ溝１２０Ａの形状は、領域によって異なる場合であっても、フレーム３２に対して、接着剤を一周にわたって連続塗布することにより一定の止水性を確保することができる。特に、本実施の形態では、上述のように、フレーム３２における各領域Ｄ１，Ｄ２，Ｄ３の溝形状の変化がなだらかに生じるように構成されているので、接着層３６ｃのカバレッジ性が良好に保たれ、止水性を保持することができる。
【００３３】
このようにして、リアキャビ１０に表示モジュール３０を取り付けた後（あるいは取り付け前、あるいは表示モジュールの取り付けと同時に）、リアキャビ１０の表示モジュール３０とは反対側から支持部材１１２および回路基盤１１３等を組み付ける。即ち、リアキャビ１０の開口部１０Ａを挟むようにして、表示モジュール３０と、支持部材１１２および回路基盤１１３とを互いに異なる側からリアキャビ１０に組み付ける。この後、リアキャビ１０とフロントキャビ２０とを組み立てることにより、図１に示した電子機器１を完成する。
【００３４】
［効果］
本実施の形態の電子機器１では、バックライトユニット（図示せず）から表示部３３に入射し、映像電圧に基づいて画素毎に変調されつつ液晶層（図示せず）を透過した光（液晶表示パネルの場合）は、偏光板１１を通過した後、タッチパネル３４および保護板３１を通過し、リアキャビ１０の開口部１０Ａを通じて電子機器１の外側へ取り出される。このようにして画像表示動作がなされる。また、タッチパネル３４では、例えば保護板３１へ指等の接触（あるいは近接）があった場合に、それが容量変化に基づいて検知され、情報入力動作がなされる。
【００３５】
本実施の形態では、このような表示部３３とタッチパネル３４を含む表示モジュール３０が、リアキャビ１０の外側から取り付けられている。この際、表示モジュール３０において、表面側に保護板３１が設けられ、この保護板３１に対向して表示部３３およびタッチパネル３４が設けられ、保護板３１の表示部３３側の周縁にはフレーム３２が設けられている。このフレーム３２がリアキャビ１０の開口部１０Ａに固着されていることにより、保護板３１の周辺領域３０Ｂの寸法を大きく確保することなく表示モジュール３０を取り付け可能となる。
【００３６】
例えば、図１２（Ａ）に示した比較例では、リアキャビ１０１に保護板１２を係止する突起１０１Ｂを設けた構成となっている。比較例においても、本実施の形態と同様、保護板１０２に対向して、タッチパネル１０４および表示部１０７が設けられるが、保護板１１をリアキャビ１０１の突起１０１Ｂのみで支持する構造となっている。このような比較例の構造では、特に、保護板３１が大型化した場合に、キャビネット内部（リアキャビ１０１と表示部３３等との間）にデッドスペースＸ１が生じ易い。このため、セットの小型化を阻害する要因となる。
【００３７】
これに対し、本実施の形態では、図１２（Ｂ）に示したように、保護板３１の周縁にフレーム３２が接着されており、このフレーム３２がリアキャビ１０の開口部１０Ａに固着されている。これにより、保護板３１の周辺領域の幅を比較例よりも小さくすることができ、キャビネット内部に上記のようなデッドスペースが生じることが抑制される。
【００３８】
また、フレーム３２の断面形状をＬ字状とすることにより、キャビネット内部の空隙を効率的に使用しつつ保護板３１とリアキャビ１０との接着性を高めることができる。これは、タッチパネル３４のＸＹ平面形状が表示部３３よりも小さい場合に特に有効である。
【００３９】
尚、逆にタッチパネル３４のＸＹ平面形状が表示部３３と同等以上の場合には、図１３に示したように、フレーム３２Ａの断面形状はＩ字状であってもよい。また、フレーム３２の断面形状はこれらのＬ字状やＩ字状に限らず、様々な形状を取り得る。
【００４０】
更に、フレーム３２の選択的な領域Ｄ１において、その端部が先尖部３２ａを有し、リアキャビ１０の開口部１０Ａの内壁には、先尖部３２ａに係合するＶ溝１２０Ａが形成されていてもよい。このような構成により、所定の方向（図８（Ａ）ではＹ方向）に沿って印加される力に対して耐性が付与され、ずれが生じにくくなる。また、フレーム３２が、領域Ｄ２，Ｄ３において、平面３２ｂを有していることにより、特にＺ方向に沿って印加される力に対して耐性が付与され、ずれが生じにくくなる。従って、このような領域Ｄ１，Ｄ２，Ｄ３が混在することで、少なくとも２方向から印加される力に対して耐性が付与され、全体としての機械的強度が高まる。
【００４１】
加えて、本実施の形態では、フレーム３２とリアキャビ１０とを接着層３６ｃにより接着し、この接着層３６ｃをフレーム３２の全辺に沿って連続的に形成されていることにより、一定の止水性を確保することができる。特に、上述のように、フレーム３２における各領域Ｄ１，Ｄ２，Ｄ３の溝形状の変化がなだらかに生じるように構成されている場合には、接着層３６ｃのカバレッジ性が良好に保たれ、止水性を保持し易い。これにより、例えば防水モデルとして有用な電子機器１を実現可能である。但し、例えば防水性能が要求されない場合などには、接着層３６ｃは必ずしも用いられる必要はない。このように、接着層３６ｃの有無に応じて、同一の部品を使用して防水モデルと非防水モデルとを容易に実現することが可能である。
【００４２】
また、フレーム３２にリアキャビ１０と係合可能な爪３２１ａ，３２１ｂ、およびスナップフィット部３２２が設けられていることにより、リアキャビ１０への表示モジュール３０の取り付けを容易に行うことが可能となり、電子機器１の組立工程が簡便化する。
【００４３】
以上説明したように、本実施の形態の電子機器１では、表示部３３に対向配置された保護板３１の表示部３３側の面の周縁領域にフレーム３２を設け、このフレーム３２をリアキャビ１０の開口部１０Ａに固着する。これにより、保護板３１の外周部（周辺領域）の寸法を大きく確保することなく表示部３３および保護板３１をリアキャビ１０に取り付け可能となる。リアキャビ１０内側のデッドスペースを削減でき、小型化を実現可能となる。
【００４４】
以上、実施の形態を挙げて本開示を説明したが、本開示は上記実施の形態に限定されるものではなく、種々の変形が可能である。例えば、上記実施の形態では、表示部３３として液晶表示パネルまたは有機ＥＬパネルを用いた場合を例として説明したが、表示部３３は、液晶または有機ＥＬのほか、無機ＥＬ，エレクトロデポジション，エレクトロクロミックあるいはプラズマなどの他の表示素子を用いたものであってもよい。
【００４５】
また、本開示の電子機器は、デジタルカメラまたはビデオカメラのほか、テレビジョン装置、モニタ等の動画表示を行う表示装置、パーソナルコンピュータ等の電子機器、または携帯電話機等の情報端末など、広く適用可能である。
【００４６】
なお、本開示は以下のような構成を取ることも可能である。
（１）
開口部を有する保持部材と、
前記保持部材の前記開口部に装着されると共に、互いに対向配置された表示パネルおよび保護板と、
前記保護板の前記表示パネル側の面の周縁領域に設けられた側壁部とを備え、
前記側壁部は前記保持部材の開口部に固着されている
表示装置。
（２）
前記保護板は、前記表示パネルの画像表示面と対向する領域に透明部を含む
上記（１）に記載の表示装置。
（３）
前記保持部材は、前記開口部を囲むと共に前記保護板を露出させる枠部と、前記枠部の内周に設けられた段部とを有し、
前記側壁部は、前記段部に突き当てられている
上記（１）または（２）に記載の表示装置。
（４）
前記保持部材は、前記開口部を囲むと共に前記保護板を露出させる枠部と、前記枠部の内周に設けられた段部とを有し、
前記側壁部は、前記枠部に固着されている
上記（１）または（２）に記載の表示装置。
（５）
前記表示パネルに画像信号を出力する信号出力部を含む回路基盤を備え、
前記回路基盤と、前記表示パネルおよび前記保護板とは、前記保持部材の開口部に互いに異なる側から装着されている
上記（１）〜（４）のいずれかに記載の表示装置。
（６）
前記側壁部は、前記保護板の周縁に沿って形成されている
上記（１）〜（５）のいずれかに記載の表示装置。
（７）
前記側壁部は、前記保護板と別部材により構成され、前記保護板に接着されている
上記（１）〜（６）のいずれかに記載の表示装置。
（８）
前記側壁部は、前記保護板に直交する面の断面形状がＬ字状となっている
上記（１）〜（７）のいずれかに記載の表示装置。
（９）
前記側壁部は、前記保護板に直交する面の断面形状がＩ字状となっている
上記（１）〜（７）のいずれかに記載の表示装置。
（１０）
前記保持部材の開口部の内壁には、前記側壁部の端部と係合する溝が設けられている
上記（１）〜（９）のいずれかに記載の表示装置。
（１１）
前記保持部材の前記開口部の内壁には、１または複数の孔が設けられ、
前記側壁部は、前記１または複数の孔のそれぞれに勘合する爪を有する
上記（１０）に記載の表示装置。
（１２）
前記溝の一部または全部の領域の断面形状がＶ字状となっており、
前記側壁部の端部は、前記溝に勘合する形状を有している
上記（１１）に記載の表示装置。
（１３）
前記溝のうちの選択的な第１の領域の断面形状のみがＶ字状であり、
前記溝の断面形状は、前記第１の領域から、前記第１の領域以外の第２の領域にかけて緩やかに変化している
上記（１２）に記載の表示装置。
（１４）
前記側壁部の一部に、前記保護板の弾性を利用して前記側壁部と前記保持部材とを係合させるスナップフィット部を有する
上記（１）〜（１３）のいずれかに記載の表示装置。
（１５）
前記側壁部は、前記保護板と一体成型されている
上記（１）〜（１４）のいずれかに記載の表示装置。
【符号の説明】
【００４７】
１…電子機器、１０…リアキャビ、２０…フロントキャビ、３０…表示モジュール、３１…保護板、３２…フレーム、３３…表示部、３１１…偏光板、３４…タッチパネル。
【図１】
2013257480.tif 000003
【図２】
2013257480.tif 000004
【図３】
2013257480.tif 000005
【図４】
2013257480.tif 000006
【図５】
2013257480.tif 000007
【図６】
2013257480.tif 000008
【図７】
2013257480.tif 000009
【図８】
2013257480.tif 000010
【図９】
2013257480.tif 000011
【図１０】
2013257480.tif 000012
【図１１】
2013257480.tif 000013
【図１２】
2013257480.tif 000014
【図１３】
2013257480.tif 000015